(57)【要約】【課題】  建物の一般利用者における火災発信機に対する認知度を平常時に向上させることのできる火災発信機を提供する。【解決手段】  建物の壁部等に設けられ押釦スイッチ１０等を備えた火災発信機本体１をカバー体２にて略覆ってなる火災発信機において、カバー体２は枠体２０とこの枠体２０の正面に設けられる正面板３とから構成し、この正面板３が平面状の鏡板にてなる。また、枠体２０の略中央部には凹陥状の取付面２２を形成し、この取付面２２に正面板３を取付ける。【選択図】  図１
2005141536.tif 000002
【特許請求の範囲】
【請求項１】
建物の壁部等に設けられ押釦スイッチ等を備えた火災発信機本体をカバー体にて略覆ってなる火災発信機において、
上記カバー体は枠体と該枠体の正面に設けられる正面板とから構成し、該正面板が略平面状の鏡板にてなることを特徴とする火災発信機。
【請求項２】
上記枠体の略中央部には凹陥状の取付面を形成し、該取付面に上記正面板を取付けることを特徴とする請求項１記載の火災発信機。
【請求項３】
上記枠体の取付面はその周縁部に差込凹部を有すると共に、上記正面板は上記差込凹部に差込まれる突出部を有してなることを特徴とする請求項２記載の火災発信機。
【請求項４】
上記枠体には正面に貫通状の開口部を形成し、該開口部には上記正面板が枠体の背面側から取付けられると共に、上記正面板は上記火災発信機本体と枠体に挟持固定されることを特徴とする請求項１記載の火災発信機。
【請求項５】
上記枠体は内側面に保持片を備え、上記正面板は上記保持片により保持されると共に、上記火災発信機本体と枠体に挟持固定されることを特徴とする請求項４記載の火災発信機。
【請求項６】
上記火災発信機本体は周縁部に保持片を備え、上記正面板は上記保持片により保持されると共に、上記火災発信機本体と枠体に挟持固定されることを特徴とする請求項４記載の火災発信機。
【請求項７】
上記正面板は透明板の裏面に鏡面を貼着して鏡板としてなり、上記鏡面を上記火災発信機本体側に配置することを特徴とする請求項１〜６のいずれか１項に記載の火災発信機。
【請求項８】
建物の壁部等に設けられ火災警報の発信あるいは表示を行う防災用機器の筐体において、
上記筐体の正面に平面状の取付部を形成し、該取付部に鏡板からなる正面板を取付けてなることを特徴とする防災用機器の筐体。
【発明の詳細な説明】
【技術分野】
【０００１】
本発明は、火災発生時に警報を発するために建物の壁部に設けられる火災発信機に関し、特に露出部分の意匠性が高く平常時における実用性を備えた火災発信機に関する。
【背景技術】
【０００２】
従来から、建物における火災発生や非常時を知らせるために、建物内部に火災発信機が設けられている。この火災発信機は、建物の廊下等の壁面に適切な高さで設置されており、警報発生用の押釦スイッチを備えている。火災発生時には、発見者が火災発信機の押釦スイッチを強く押すことにより、火災発生を知らせる信号が建物内に設けられた受信機に伝送されると共に、火災発信機近傍に設けられる非常ベルから警報音が発せられて、周囲の人に対し火災発生を知らせることができる。
【０００３】
このような火災発信機は、建物の壁面に埋め込むように設置されており、火災発信機本体は上記押釦スイッチと、電話線を接続するための電話ジャックとを備え、また押釦スイッチが押された場合に信号を伝送するための回路が内蔵されている。さらに、火災発信機本体の室内露出部分を覆うカバー体が火災発信機本体に対して取付けられる。カバー体は、押釦スイッチを露出させるように開口を有しており、また電話ジャックを覆うと共に、必要に応じて開閉することのできる扉を有している。このような従来の火災発信機としては、例えば特許文献１に挙げるようなものがある。
【特許文献１】特開平１０−１０５８４４号公報
【発明の開示】
【発明が解決しようとする課題】
【０００４】
ここで、従来の火災発信機は、室内に露出する部分であるカバー体は、目立つように赤一色とされるのが一般的である。しかし、火災発信機は平常時には全く使われないものであるために、建物の一般利用者にとっては通常あまり意識されることがない。このため、平常時から火災発信機の位置を意識し、実際に火災が発生した場合、とっさに火災発信機の操作を行うことのできる一般利用者はあまりいない。このように火災発信機の存在が一般利用者に対して十分に認知されていないと、火災発生時に警報発生が遅れたり、または全く警報発生されないおそれもある。
【０００５】
本発明は、上記課題を鑑みてなされたものであり、建物の一般利用者における火災発信機に対する認知度を平常時に向上させることのできる火災発信機を提供することを目的とする。
【課題を解決するための手段】
【０００６】
上記課題を解決するため、本発明に係る火災発信機は、建物の壁部等に設けられ押釦スイッチ等を備えた火災発信機本体をカバー体にて略覆ってなる火災発信機において、
上記カバー体は枠体と該枠体の正面に設けられる正面板とから構成し、該正面板が略平面状の鏡板にてなることを特徴として構成されている。
【０００７】
また、本発明に係る火災発信機は、上記枠体の略中央部には凹陥状の取付面を形成し、該取付面に上記正面板を取付けることを特徴として構成されている。
【０００８】
さらに、本発明に係る火災発信機は、上記枠体の取付面はその周縁部に差込凹部を有すると共に、上記正面板は上記差込凹部に差込まれる突出部を有してなることを特徴として構成されている。
【０００９】
さらにまた、本発明に係る火災発信機は、上記枠体には正面に貫通状の開口部を形成し、該開口部には上記正面板が枠体の背面側から取付けられると共に、上記正面板は上記火災発信機本体と枠体に挟持固定されることを特徴として構成されている。
【００１０】
そして、本発明に係る火災発信機は、上記枠体は内側面に保持片を備え、上記正面板は上記保持片により保持されると共に、上記火災発信機本体と枠体に挟持固定されることを特徴として構成されている。
【００１１】
また、本発明に係る火災発信機は、上記火災発信機本体は周縁部に保持片を備え、上記正面板は上記保持片により保持されると共に、上記火災発信機本体と枠体に挟持固定されることを特徴として構成されている。
【００１２】
さらに、本発明に係る火災発信機は、上記正面板は透明板の裏面に鏡面を貼着して鏡板としてなり、上記鏡面を上記火災発信機本体側に配置することを特徴として構成されている。
【００１３】
さらにまた、本発明に係る防災用機器の筐体は、建物の壁部等に設けられ火災警報の発信あるいは表示を行う防災用機器の筐体において、
上記筐体の正面に平面状の取付部を形成し、該取付部に鏡板からなる正面板を取付けてなることを特徴として構成されている。
【発明の効果】
【００１４】
本発明に係る火災発信機によれば、カバー体の正面は平面状の鏡面とされるので、防災装置でありながら身だしなみの確認など建物の一般利用者が日常的に利用することができる。このように日常的に利用されることにより、火災発信機の存在の認知度が向上し、火災発生などの緊急時に建物の一般利用者が迅速・確実に火災発信機を使用して警報を発生させることができる。
【００１５】
また、本発明に係る火災発信機によれば、カバー体は中央部に凹陥状の取付面を形成され、この取付面に正面板を取付けることにより、カバー体の正面に納まりよく鏡板を設けることができる。また、正面板の取替えも容易である。
【００１６】
さらに、本発明に係る火災発信機によれば、カバー体の正面に開口部を設け、この開口部に背面側から平板状の正面板を取付けると共に、正面板は火災発信機本体と枠体に挟持固定されることにより、鏡板を強固に固定しておくことができる。
【００１７】
さらにまた、本発明に係る火災発信機によれば、透明板の裏面に鏡面を形成し、この鏡面を火災発信機本体側に配置することにより、鏡面が直接露出しないので、鏡面を傷つきにくくすることができる。
【発明を実施するための最良の形態】
【００１８】
本発明の実施形態について詳細に説明する。火災発信機は、建物の壁面に埋め込まれるように設けられるもので、警報を発生するための押釦スイッチ１０と電話線を差し込むことのできる電話ジャック１１を備えている。また、火災発信機は建物の壁面に所定の間隔で、かつ床面から０．８ｍ以上１．５ｍ以下となるように配置される。火災発見者は、この火災発信機の押釦スイッチ１０を強く押すことにより、管理人室等に設置され火災発信機とは配線にて接続された火災受信機に火災発生を知らせる信号が送信される。また、それに伴って火災発信機近傍に設けられるスピーカから警報音が発せられることで、周囲の人に火災発生を知らせることができる。以下、このような火災発信機に本発明を適用した実施例について図面に沿って詳細に説明する。
【実施例１】
【００１９】
図１には、本実施例における火災発信機の正面図を示す。また、図２は火災発信機の側面組立図である。これら各図において、本実施例における火災発信機は、正面側に押釦スイッチ１０と電話ジャック１１を備え、背面側に火災受信機に信号を送信する送信部１２を備えた火災発信機本体１に対して、その露出部分を覆うカバー体２を設けてなるものである。カバー体２は押釦用開口２３から火災発信機本体１の押釦スイッチ１０を露出させている。すなわち、正面側から火災発信機を見ると、カバー体２と押釦スイッチ１０とが露出した状態となる。火災発信機本体１の電話ジャック１１は、カバー体２に設けられた開閉自在な扉部２４によって覆われており、必要に応じて扉部２４を開くことにより、露出させることができる。なお、扉部２４内側には、押釦スイッチ１０の復旧スイッチも設けられている。
【００２０】
カバー体２は、上述のように火災発信機本体１の露出部分を覆うことができるように、略円形の側面部２１を有した枠体２０と、その正面側に取付けられる正面板３から構成される。図２に示すように、カバー体２は火災発信機本体１を覆うように取付けられる。ここで、火災発信機は赤色でなければならないため、側面部２１は赤色とされる。これに対して、枠体２０の正面には鏡面３１を有した正面板３が設けられる。従来の火災発信機では、側面部から正面部分にかけて一体的に曲面状となるように形成されていたが、本発明では正面板３を鏡として日常的に使用できるようにするため、正面板３は略平面状としている。
【００２１】
図３には、本実施例における枠体２０及び正面板３の断面図を示す。この図に示すように、枠体２０には略中央部に側面部２１の端部から落とし込んで凹陥状に形成される略平面状の取付面２２を形成している。取付面２２には、押釦用開口２３と扉部２４、及び火災発信機本体１に対する固定ネジ４を挿入するための挿入孔２５が形成されている。そして、この略平面状の取付面２２には、上記正面板３が取付けられる。また、枠体２０の内側面上部には、火災発信機本体１を固定する係合突起２７を設けている。この係合突起２７を火災発信機本体１に係合させると共に、固定ネジ４により火災発信機本体１に対しネジ止めすることで、カバー体２を火災発信機本体１に固定する。
【００２２】
正面板３は、枠体２０の取付面２２に略適合する円盤状の平板として形成され、ベースとなる透明板３０の裏面に鏡面３１を貼着してなるものである。透明板３０としては、アクリル等の透明な樹脂ないしガラスを用いることができる。また、鏡面３１は、透明板３０に対してクロムやアルミ等による鏡処理を行い形成する。正面板３には、枠体２０と同様に押釦用開口３２が形成され、さらに扉部２４を露出させるための扉部用開口３３、及び固定ネジ４用のネジ孔３４が形成されている。
【００２３】
正面板３の枠体２０に対する取付けに際しては、鏡面３１が取付面２２側となるように配置した上で、鏡面３１と取付面２２を接着により固定する。さらに、正面板３のネジ孔３４から枠体２０の挿入孔２５を介して火災発信機本体１の固定孔１３に対してネジ止めすることで、さらに強固に固定することができる。鏡面３１を取付面２２側に配置して固定しても、正面板３のベースとなっているのは透明板３０であるので、正面板３は枠体２０に取付けられた状態で鏡としての機能を有することになる。一方、鏡面３１が直接露出しないので、鏡面３１を傷つきにくくすることができる。
【００２４】
このように、枠体２０の取付面２２に正面板３を取付固定し、これによってカバー体２を形成している。枠体２０の正面には、押釦スイッチ１０が露出し、また扉部２４が設けられているものの、それ以外のスペースは鏡として用いることができるので、火災発信機を火災発生時のみならず、日常的な用途に供することができる。また、枠体２０に取付面２２を形成して、そこに正面板３を取付固定するようにしたので、鏡面３１の形成が容易であって、かつその取付も簡単に行うことができる。さらに、枠体２０の取付面２２は側面部２１よりも落とし込んで形成されているので、正面板３の納まりをよくすることができ、側方から見た場合にそれが火災発信機であることを容易に認識することができる。また、正面板３を保護する機能を有する。
【実施例２】
【００２５】
次に、実施例２について詳細に説明する。図５には、本実施例における枠体２０の背面図を示す。また、図６には本実施例における正面板３の正面図、図７には本実施例における枠体２０と正面板３の断面図を示す。本実施例の火災発信機は、火災発信機本体１については実施例１と同様である。すなわち、正面側に押釦スイッチ１０と電話ジャック１１を備え、背面側に火災受信機に信号を送信する送信部１２を備えている。また、カバー体２も火災発信機本体１に対してその露出部分を覆う点においては共通している。ただし、カバー体２の枠体２０の構成が実施例１とは異なっている。
【００２６】
図５に示すように、本実施例におけるカバー体２は、枠体２０に開口部２６が形成されている。そして、側面部２１の内周面には、保持片２８が形成されている。一方、図６に示すように、本実施例における正面板３は、その上下左右にそれぞれ延出部３５が形成されている。正面板３を枠体２０に取付ける際には、図７に示すように、正面板３を枠体２０の背面側から取付ける。このとき、正面板３は枠体２０に対して約４５°傾けて挿入し、その後正面板３を回転させるようにスライドさせて、正面板３の延出部３５を枠体２０の保持片２８に係合させる。さらにネジ孔３４に固定ネジ４を挿入し、枠体２０と正面板３及び火災発信機本体１を固定する。これによって正面板３は枠体２０の保持片２８に保持されると共に、火災発信機本体１と枠体２０に挟持され、固定される。なお、本実施例では保持片２８を枠体２０に形成しているが、これを火災発信機本体１の周縁部に形成することで、正面板３を火災発信機本体１に保持させた上で、火災発信機本体１と枠体２０に挟持されるようにしてもよい。
【００２７】
以上のように、本実施例においては、枠体２０の開口部２６が背面側から取付けられる正面板３によって塞がれる構造となっている。なお、正面板３は実施例１の場合と同様に、透明板３０の背面側に鏡面３１が形成されてなるもので、鏡面３１は直接露出しないように配置されている。また、正面板３には実施例１と異なり、扉部２４が形成されている。上記の実施例２においては、正面板３をスライドさせて枠体２０に取付けるが、保持片２８の突出を低くして、スライドさせずに直接押し込んで取付けるようにしてもよい。また、扉３３は本体１に設けて、対応する正面板３の位置は開口部を設けるようにしてもよい。
【実施例３】
【００２８】
さらに、実施例３について詳細に説明する。図８には、本実施例における火災発信機の正面図を示す。本実施例は、実施例１と略同様の構成を有している。すなわち、正面側に押釦スイッチ１０と電話ジャック１１を備え、背面側に火災受信機に信号を送信する送信部１２を備えた火災発信機本体１に対して、枠体２０及び正面板３からなるカバー体２を取付ける。枠体２０の正面には取付面２２が形成されており、その取付面２２に鏡面３１を有した正面板３を取付固定する。
【００２９】
本実施形態では、枠体２０における取付面２２の上部に差込凹部２９が形成され、一方正面板３の上部には突起状の突出部３６が形成されており、正面板３の突出部３６を枠体２０の差込凹部２９に係合させ、さらにネジ孔３４からネジ止めする。これにより、取付面２２と鏡面３１とを接着することなく正面板３を枠体２０に対して固定することができるので、正面板３の取替えを容易に行うことができる。
【実施例４】
【００３０】
実施例４は、実施例３においてさらにネジ止めを不要としたものである。図９には、本実施例における火災発信機の正面図を示す。本実施例では、枠体２０における取付面２２の上部に加えて、下部にも差込凹部２９が形成され、一方正面板３にも上部に加えて下部にも突起状の突出部３６が形成されている。枠体２０はあらかじめ本体１にネジ止めされ、枠体２０に正面板３の突出部３６を２個所で係合させることによって、正面板３の枠体２０に対するネジ止めを不要とすることができ、正面視をすっきりさせることができる。また、正面板３の取替えを容易に行うことができる。
【実施例５】
【００３１】
次に実施例５について説明する。図１０には、本実施例における火災発信機の正面図を示す。これまで説明した実施例１〜４においては、火災発信機本体１の正面に配置される押釦スイッチ１０と扉部２４は、同様の位置関係にある。しかしこれらの配置は、必ずしもこれに限られず、他の配置であっても押釦スイッチ１０と扉部２４以外の部分を鏡として機能させることができればよい。本実施例では、押釦スイッチ１０は火災発信機本体１の略中心部に配置されている。また、押釦スイッチ１０の下部には、２つの扉部２４、２４がそれぞれ独立して開くことができるように配置されている。このような配置であっても、正面板３における押釦スイッチ１０の上方や左右側方部分を鏡として用いることができる。なお、上記の火災発信機の他の実施例としては、正面板３を本体１の正面に取付け、その後に図５のような中央が開口した枠体をはめ込む構成であってもよい。また、正面板３は本体１にも枠体２０にも固定されず、枠体２０の周囲に設けたネジ止め機構によって本体１にネジ止めされると共に、間に位置する正面板３が挟まれて固定される構成であってもよい。さらに、図８、図９の凹部２９は、内側への凸部とし、正面板３を円形とするか、もしくは凹部を設けるようにしてもよい。
【実施例６】
【００３２】
これまで火災発信機に鏡面３１を有した正面板３を設けた実施例について説明した。しかし、建物の壁面に設けられるのは、火災発信機単体だけとは限らず、その他の機器と組み合わせる場合もある。実施例６では、本発明を機器収納箱４０に適用した場合について説明する。図１１は、本実施例における機器収納箱４０の斜視図である。機器収納箱４０は、建物の壁面に設けられるものであって、実施例１〜５で説明した火災発信機に加えて、警報発生時に点灯する警報灯４１を納めて、これらを正面に露出させ、さらに警報音を発生する音響部（図示しない）を内部に納め、正面には音響孔４２を備えてなるものである。
【００３３】
このような機器収納箱４０は、火災発信機単体が建物の壁面に設けられている場合と同様に、従来は日常的な使用に供されることはなかった。本実施例では、火災発信機に限らず、建物内の防災機器に対する一般利用者の認知度を向上させるため、機器収納箱４０の正面部分に鏡板４４を設けてなるものである。図１１に示すように、機器収納箱４０の正面には略全面に渡る凹陥状であって略平面状の取付面４３が形成されており、この取付面４３に鏡面を有した鏡板４４が取付固定される。または、機器収納箱４０の正面カバーを全て平面状の鏡板として形成する。これにより、機器収納箱４０の露出部分は略全面に渡って鏡として機能させることができ、建物の一般利用者に対する日常的な使用に供することができる。
【００３４】
なお、本実施例において機器収納箱４０に収納される火災発信機は、上記実施例１〜５のようにその正面に鏡面３１を有した正面板３を設けてなるものである。ただし、これには限られず、機器収納箱４０に既に鏡板４４が設けられていることから、火災発信機については、正面板３を設けることなく、従来と同様に全面を赤色としてもよい。
【実施例７】
【００３５】
実施例７では、建物の壁面に設置され、警報の内容等を表示することのできる副表示盤５０に本発明を適用した場合について説明する。図１２は、本実施例における副表示盤５０の斜視図である。副表示盤５０も、実施例６の機器収納箱４０と同様に、建物の壁面に設置される防災機器の一種であって、従来は日常的な使用に供されることはなく、建物の一般利用者に対する認知度もそれほど高いものではない。
【００３６】
図１２に示すように、副表示盤５０には、各種情報を表示する表示部５１が正面の上部に設けられ、その側部には音響孔５２が設けられている。そして、正面の下半分には、凹陥状であって略平面状の取付面５３が形成されており、そこに鏡面を有する鏡板５４が取付固定される。表示部５１や音響孔５２の配置についてはこれに限られず、どのような配置であってもよい。このように、副表示盤５０の正面のうち、従来使われていなかった部分に鏡板５４を設けることにより、副表示盤５０を鏡として建物の一般利用者に対する日常的な使用に供することができる。このように壁面に設けられる発信機、機器収納箱、副表示盤などの防災用機器の表面を鏡面とすることで、実用性を高め、デザイン性も向上し、認知度を向上させることができる。
【図面の簡単な説明】
【００３７】
【図１】第１実施例における火災発信機の正面図である。
【図２】第１実施例における火災発信機の側面組立図である。
【図３】第１実施例における枠体及び正面板の断面図である。
【図４】第１実施例における火災発信機の組立斜視図である。
【図５】第２実施例における枠体の背面図である。
【図６】第２実施例における正面板の正面図である。
【図７】第２実施例における枠体及び正面板の断面図である。
【図８】第３実施例における火災発信機の正面図である。
【図９】第４実施例における火災発信機の正面図である。
【図１０】第５実施例における火災発信機の正面図である。
【図１１】第６実施例における機器収納箱の斜視図である。
【図１２】第７実施例における副表示盤の斜視図である。
【符号の説明】
【００３８】
１    火災発信機本体
２    カバー体
３    正面板
４    固定ネジ
１０    押釦スイッチ
１１    電話ジャック
２０    枠体
２１    側面部
２２    取付面
３０    透明板
３１    鏡面
４０    機器収納箱
５０    副表示盤
【図１】
2005141536.tif 000003
【図２】
2005141536.tif 000004
【図３】
2005141536.tif 000005
【図４】
2005141536.tif 000006
【図５】
2005141536.tif 000007
【図６】
2005141536.tif 000008
【図７】
2005141536.tif 000009
【図８】
2005141536.tif 000010
【図９】
2005141536.tif 000011
【図１０】
2005141536.tif 000012
【図１１】
2005141536.tif 000013
【図１２】
2005141536.tif 000014